(57)【特許請求の範囲】
【請求項１】
光源と、光源より発せられる発散光束をカップリングするカップリングレンズと、このカップリングレンズからの光束を等角速度的に偏向する光偏向器と、上記カップリングレンズと光偏向器の間に配置され光偏向器の偏向反射面近傍に主走査方向に長い線状に光束を結像させる線像結像光学系と、光偏向器により偏向された光束を被走査媒体上に光スポットとして結像させる走査結像系と、これら光源、カップリングレンズ、光偏向器、線像結像光学系、走査結像系を配置し収納する光学ハウジングと、を有し、
上記光源とカップリングレンズを有する光源部と、上記光学ハウジングの少なくとも一方には、上記光源部を保持し固定するための保持固定基準が複数設けられており、
上記光偏向器の周りはカバーで覆われるとともに光偏向器に光束が入出射するための窓を有し、この窓には透明カバー部材を配置することが可能となっており、
上記光源部の保持固定基準は、上記カバー部材を取付けた場合と取付けない場合とで、偏向された光束が走査結像系の略同位置を通るように定められていることを特徴とする光走査装置。
【請求項２】
請求項１記載の光走査装置において、光源部と線像結像光学系は同一部材上に配置されていることを特徴とする光走査装置。
【請求項３】
請求項１記載の光走査装置において、カップリングレンズと線像結像光学系が一体に形成されていることを特徴とする光走査装置。
【請求項４】
請求項１記載の光走査装置において、光源部は複数の発光源から構成されてなることを特徴とする光走査装置。
【請求項５】
請求項２または３記載の光走査装置において、光源部から発せられる光束は略平行な光束であることを特徴とする光走査装置。
【請求項６】
請求項１乃至５のいずれか１項に記載の光走査装置を備えていることを特徴とする画像形成装置。
【発明の詳細な説明】
【０００１】
【発明の属する技術分野】
本発明は、デジタル複写機、レーザプリンタ、レーザファクシミリ等の記録装置の書込系に用いられる光走査装置に関するもので、特に光偏向器を覆うカバーの入出射窓にカバー部材が取付けられている場合と取付けられていない場合とに容易に対応することができる光走査装置に関するものである。
【０００２】
【従来の技術】
近年、デジタル複写機、レーザプリンタ、レーザファクシミリ等の記録装置の書込系に用いられる光走査装置においては、記録速度の向上が求められている。記録速度を向上させる手段として、例えば回転多面鏡（ポリゴンミラー）などからなる光偏向器による偏向速度を上げる方法すなわち光偏向器の回転速度を上げる方法がある。しかし、この方法では光偏向器が発生する騒音、特に回転多面鏡の場合はそのエッジ部の風切り音が大きくなるため、低騒音化対策がとられている。
【０００３】
低騒音化対策としては、一般に、光偏向器の周りをカバーで覆っている。そして、光偏向器に光束を導き、また偏向された光束を外部に出射させるための入出射窓をガラス等の透明体でカバーしている。こうすれば、光偏向器で発生する騒音が外部に漏れるのを防止することができる。また、これによって光偏向器の防塵対策ともなる。
【０００４】
上記のように、光走査装置の記録速度の向上が図られる一方において、記録速度は低速であっても、低価格の光走査装置ないしはこれを用いた画像形成装置の実現を目指した開発も行われている。このような状況において、記録速度の向上を狙った光学系と、速度は低速でかつ低価格を狙った光学系とを別々に開発しようとすると、それぞれに開発時間を必要としコストもそれぞれにかかってしまう。そこで、同じ構成の光学系を用い、高速用の光走査装置には防音・防塵用の透明カバー部材を取付け、低速用の光走査装置には防音・防塵用の透明カバー部材の取付けを省略することが考えられている。
【０００５】
しかしながら、防音・防塵等の機能を持つ透明カバー部材は屈折作用があり、このカバー部材を用いた場合は、これを用いない場合と比較すると光束の光路が変えられる、いわゆる浮き上がりが生じるため、上記カバー部材を用いた場合と用いない場合とでは、各光学素子のレイアウトが異なることになる。そこで、従来は、上記カバー部材を用いた場合と用いない場合とに対応した別々の光学ハウジングが作られてきた。光学ハウジングをこのように別々に作るということは、これを成形する金型もそれぞれ別個に必要になるということで、それだけ開発コストが嵩むことになる。
【０００６】
【発明が解決しようとする課題】
本発明は、以上のような従来技術の問題点を解消するためになされたもので、防音・防塵用の透明カバー部材を用いる場合と用いない場合とで光学ハウジングを共通化することを可能にし、開発コストの低減および開発期間の短縮化を図ることができる光走査装置を提供することを目的とする。
【０００７】
上記透明カバー部材を用いると、前述のように浮き上がりと称する屈折作用があるため、上記カバー部材の有無により、線像結像系による線像の結像位置がずれてしまう。この結像位置がずれると被走査媒体面での副走査方向の結像位置がずれてしまうため、上記カバー部材の有無に応じて線像結像光学系の位置を変える必要がある。
そこで本発明の他の目的は、光源部と線像結像光学系とを同一部材上に配置して、光源部と線像結像光学系とを同時に位置決めすることができるようにした光走査装置を提供することにある。
【０００８】
上記のように、光源部と線像結像光学系とを実質一体として位置決めできるようにするということは、光源部と光偏向器との距離を変えることになる。光源部からの光束が発散光束であったり集束光束であったりすると、上記のように光源部と光偏向器との距離が変わることによって、被走査媒体面での主走査方向の結像位置も変わってしまい、結像位置ずれに基づくビーム径の太りなどの問題を生じる。
そこで本発明のさらに別の目的は、光源部と光偏向器との距離が変わっても、結像位置ずれを防止することができるようにした光走査装置を提供することにある。
【０００９】
本発明のさらに別の目的は、カップリングレンズと線像結像光学系を一つのレンズとすることにより、部品点数の低減と可動部分の小型化を図ることができる光走査装置を提供することにある。
また、光源を複数の光源とすることにより、走査線の数を増やし、高速化に対応することができるようにした光走査装置を提供することにある。
【００１０】
【課題を解決するための手段】
請求項１記載の発明は、光源と、光源より発せられる発散光束をカップリングするカップリングレンズと、このカップリングレンズからの光束を等角速度的に偏向する光偏向器と、上記カップリングレンズと光偏向器の間に配置され光偏向器の偏向反射面近傍に主走査方向に長い線状に光束を結像させる線像結像光学系と、光偏向器により偏向された光束を被走査媒体上に光スポットとして結像させる走査結像系と、これら光源、カップリングレンズ、光偏向器、線像結像光学系、走査結像系を配置し収納する光学ハウジングと、を有し、上記光源とカップリングレンズを有する光源部と、上記光学ハウジングの少なくとも一方には、上記光源部を保持し固定するための保持固定基準が複数設けられており、上記光偏向器の周りはカバーで覆われるとともに光偏向器に光束が入出射するための窓を有し、この窓には透明カバー部材を配置することが可能となっており、上記光源部の保持固定基準は、上記カバー部材を取付けた場合と取付けない場合とで、偏向された光束が走査結像系の略同位置を通るように定められていることを特徴とする。
【００１２】
請求項２記載の発明は、請求項１記載の発明において、光源部と線像結像光学系は同一部材上に配置されていることを特徴とする。
請求項３記載の発明は、請求項１記載の発明において、カップリングレンズと線像結像光学系が一体に形成されていることを特徴とする。
【００１３】
請求項４記載の発明は、請求項１記載の発明において、光源部は複数の発光源から構成されてなることを特徴とする。
請求項５記載の発明は、請求項２または３記載の発明において、光源部から発せられる光束は略平行な光束であることを特徴とする。
請求項６記載の発明は、画像形成装置に関するものであって、請求項１乃至５のいずれか１項に記載の光走査装置を備えていることを特徴とする。
【００１４】
【発明の実施の形態】
以下、図面を参照しながら本発明にかかる光走査装置の実施の形態について説明する。
まず、光走査装置全体の構成例について概略的に説明しておく。図１において、符号１は例えば半導体レーザからなる光源を、符号２はカップリングレンズを示す。光源１から出射した発散光束はカップリングレンズ２でカップリングされて集束され、光束整形手段としてのアパーチャ３で所定の断面形状に整形される。アパーチャ３を透過した光束の進路上には線像結像光学系としてのシリンドリカルレンズ４が配置され、さらにその先に回転多面鏡からなる光偏向器５が配置されている。
【００１５】
上記シリンドリカルレンズ４は、アパーチャ３を透過した光束を副走査対応方向にのみ集束させ、光偏向器５の偏向反射面近傍に、主走査対応方向に長い線像を結像させる。上記光偏向器５は、光源１側からの光束を等角速度的に所定の角度範囲で偏向する。偏向された光束は、走査結像光学系１７を透過し、被走査媒体９上を走査する。被走査媒体９の実体は光導電性の感光体である。走査結像光学系１７は結像レンズ６と主走査方向に長い長尺レンズ７とで構成されていて、光偏向器５で等角速度的に偏向された光束を、被走査媒体９上に光スポットとして結像させるとともに、被走査媒体９上で等速度的に走査させるようになっている。走査結像光学系１７と被走査媒体９との間には光路を曲げる長尺のミラー８が配置されている。
【００１６】
図１において符号１００は同期検知光学系を示す。同期検知光学系１００は、ミラー１０と、レンズ１１と、受光素子１２とで構成されている。ミラー１０は上記結像レンズ６と長尺レンズ７との間において、光偏向器５による光偏向範囲のうち偏向開始端付近の光束をレンズ１１および受光素子１２に向かって反射するように配置されている。受光素子１２は上記偏向開始端付近の光束を検出することによって信号を出力する。この信号は、周知のとおり、同期信号として書き込み開始タイミングを決めるために用いられる。
上記光源１、カップリングレンズ２、光偏向器５、線像結像光学系４、走査結像系１７、長尺ミラー８、同期検知光学系１００を含む光学系は、図示されない光学ハウジングに所定位置に位置決めされて配置され収納されている。
【００１７】
図１に示す光走査装置の構成は、高速走査用でも低速走査用でも基本的に変わりがなく、高速走査用にも低速走査用にも共通に適用可能である。しかし、高速走査用として用いる場合は、前述のように光偏向器５の高速回転による風切り音が騒音として問題になる。そこで、この騒音が外部に漏れないように、図８に示すように光偏向器５の周りが、防音用の筒状のカバー１３で覆われている。カバー１３には、光偏向器５に光束を入出射させるための窓が形成されており、高速走査用として用いる場合は上記窓に防音・防塵用の透明なカバー部材１４が配置され、窓が塞がれている。こうして光偏向器５の高速回転によって発生する騒音が外部に漏れるのが防止される。
【００１８】
上記カバー部材１４の有無に関わりなく、光偏向器５、結像レンズ６、長尺レンズ７等の光学素子はほとんど共通化される。しかし、透明なカバー部材１４が光学系の光路中に配置されることにより、光束がカバー部材１４を透過する際にいわゆる浮き上がりという現象により光路が変わる。そのため、光源部、その他の配置位置を変えることなくカバー部材１４を配置しただけでは、結像レンズ６、長尺レンズ７を通る光束の位置が変わり、あたかも、光偏向器５以降の光学系が偏向走査面内においてレンズ光軸と直交する方向にシフトしたかのような状態となって結像位置がずれ、被走査媒体９上でいわゆるビーム太り等を生じ、画像品質の劣化を生じる。かかる問題は、本出願人が所有している特許第２５５０１５３号公報でも指摘している。
【００１９】
図５は上記の問題を具体的に示している。図５において、符号ａは光源部から光偏向器５に向かう光束の光路を示しており、実線は上記カバー部材１４が光路中に入った場合の光路を、破線はカバー部材１４がない場合の光路を示している。カバー部材１４が光路中に入った場合、光源部から光偏向器５に向かって入射する際と、光偏向器５の偏向反射面５ａで偏向されて出射する際にそれぞれカバー部材１４で光束が屈折させられ、符号ｃで示すように出射していく。一方、カバー部材１４がない場合は、光偏向器５に対する入出射の際の屈折がなく、符号ｄで示すように、カバー部材１４が光路中に入っている場合と異なった光路をたどって出射していく。これが、上述の、あたかも、光偏向器５以降の光学系が偏向走査面内においてレンズ光軸と直交する方向にシフトしたかのような状態であって、像面湾曲の回転による結像位置のずれによりいわゆるビーム太り等を生じ、画像品質の劣化の原因となる。
【００２０】
そこで、カバー部材１４がある場合を基準として考えた場合、カバー部材１４がない場合は、図５において、結果的に光偏向器５の偏向反射面５ａで反射され出射していく光束の光路が、カバー部材１４がある場合に出射していく光束の光路ｃと重なるように、光源部からの光路を偏向面内において光源部からの光束の光軸と直交する方向へシフトする。図５ではこのシフト量をΔで表し、そのときの入射光路をｂで表している。このように、カバー部材１４がある場合とない場合とでは、光源部から光偏向器５へ向かう光束の光路を偏向面内において光源部からの光束の光軸と直交する方向へシフトすることにより、光偏向器５からの出射光路を一致させ、結像位置のずれをなくすことができるため、カバー部材１４がある場合もない場合も、結像位置のずれをなくして高品質の画像を得ることができる。
【００２１】
上記のように、カバー部材１４がある場合とない場合とで光源部から光偏向器５へ向かう光束の光路をシフトするためには、前記光学ハウジングに、光源１とカップリングレンズ２を有してなる光源部を保持し固定するための保持固定基準を、カバー部材１４がある場合に対応する基準と、カバー部材１４がない場合に対応する基準を複数設け、これらの基準を使い分ければよい。以下、その具体例について説明する。
【００２２】
図２において、符号１５は光源部を示す。光源部１５は前記光源１およびカップリングレンズ２を保持する保持部材として構成されている。光源部１５は上記光源１およびカップリングレンズ２を保持する板状の垂直部材１５ａと、この部材の底面が固定された板状の水平部材１５ｂとからなり、水平部材１５ｂには、長方形の各角に相当する位置に４個の孔Ａ１、Ａ２、Ｂ１、Ｂ２が上下方向に形成されている。一方、光源部１５を固定する光学ハウジングには、上記孔Ａ１、Ａ２に対応するピンａ１、ａ２と、上記孔Ｂ１、Ｂ２に対応するピンｂ１、ｂ２がそれぞれ設けられている。
【００２３】
一対の上記ピンａ１、ａ２および他の一対のｂ１、ｂ２は光源部１５を保持固定する保持固定基準をなしていて、一対のピンａ１、ａ２を、上記カバー部材１４がある場合の保持固定基準とすると、一対のピンｂ１、ｂ２は、上記カバー部材１４がない場合の保持固定基準となっている。一対のピンａ１、ａ２と他の一対のｂ１、ｂ２は、一方が光源部１５を保持固定しているとき、他方がじゃまにならないように、位置をずらして配置するとか、他方のピンに対する逃げを用いるなどにより、互いに干渉しないように構成する。このように、光源部１５の保持固定基準を、カバー部材１４がある場合とない場合とに対応させて複数有しているため、光源部１５の位置をカバー部材１４がある場合とない場合とで変えることにより、結像位置のずれをなくすことができる。
【００２４】
図２に示す構成において、一対のピンａ１、ａ２と他の一対のピンｂ１、ｂ２をそれぞれ光源部１５の保持固定基準として説明したが、光源部１５側の一対の孔Ａ１、Ａ２および一対の孔Ｂ１、Ｂ２を保持固定基準としてもよい。また、一対のピンａ１、ａ２と他の一対のピンｂ１、ｂ２を保持固定基準とした場合、光源部側の孔は一対だけにしてこれを上記一対のピンａ１、ａ２または他の一対のピンｂ１、ｂ２に選択的に嵌合させるようにし、これによって光源部１５の位置を変えるようにしてもよい。逆に、一対の孔Ａ１、Ａ２および一対の孔Ｂ１、Ｂ２を保持固定基準とした場合、光学ハウジング側のピンは一対だけにし、これに上記一対の孔Ａ１、Ａ２または一対の孔Ｂ１、Ｂ２を選択的に嵌合させるようにして、光源部１５の位置を変えるようにしてもよい。さらに、光源部１５側にピンを設け、光学ハウジング側に上記ピンに嵌まる孔を設けてもよい。要するに、光源部１５と、光学ハウジングの少なくとも一方に、光源部１５を保持し固定するための保持固定基準が設けられており、この保持固定基準が複数であればよい。
【００２５】
次に、上記カバー部材１４がある場合とない場合の副走査方向断面における結像位置のずれについて図４を用いて説明する。図４において、実線ｌで示す状態はカバー部材１４がない状態である。光源部からの光束は線像結像光学系４により偏向反射面５ａ近傍に主走査方向に長い線状に結像し、結像レンズ６と長尺レンズ７の合成系である走査結像系１７により被走査媒体９上に結像スポットを形成する。図４において点線ｍで示す状態はカバー部材１４が用いられた状態である。この状態では、線像結像光学系４を透過した光束は、カバー部材１４による屈折作用（浮き上がり）により、偏向反射面５ａ近傍の線像は△ｘだけ被走査媒体９側へシフトする。走査結像系１７の副走査方向の結像横倍率βにより倍率がかかり、被走査媒体９ではその結像位置は△ｘ’だけシフトする。その関係は以下の式で求められる。
Δｘ’＝△ｘ・β2
【００２６】
このように、副走査方向断面においては、カバー部材１４がある場合は、カバー部材１４がない場合と比較して、被走査媒体９の位置において光軸方向に△ｘ’だけ結像位置ずれを起こしてしまう。この結像位置ずれをなくすためには、線像結像光学系４を△ｘだけ光軸方向に動かす必要がある。その際に、光源部に線像結像光学系４を保持することが可能な構成にしておけば、カバー部材１４が入る場合と入らない場合とで、上記光源部と線像結像光学系４とを一体的に光軸方向にシフトすることにより、それぞれに容易に対処することが可能になる。その場合、線像結像系４の位置が光源部との関係において最適となるように、基準位置に位置決めされるようにする。
【００２７】
図３は、線像結像系４の位置が光源部１５との関係において最適となるように位置決めするための具体的構成例を示すもので、板状の垂直片１６ａと、これと一体の板状の水平片１６ｂとからなる保持部材１６があり、この保持部材１６の上記垂直片１６ａに光源部１５が取付けられている。上記水平片１６ｂの上には一対の四角柱状の基準支持片１６ｃ、１６ｃが一体に設けられていて、この基準支持片１６ｃ、１６ｃの一面側に、線像結像系４の左右両端部の一面が対向し、図示されない保持固定用の板バネ等によって、線像結像系４が基準支持片１６ｃ、１６ｃに押し付けられ固定されている。このように、線像結像系４は光源部１５と同一の保持部材１６上に配置されることにより、線像結像系４は光源部１５との関係において光軸方向の位置が最適な位置に位置決めされている。なお、線像結像系４は基準支持片１６ｃ、１６ｃに接着によって固定してもよい。
【００２８】
上記保持部材１６の水平片１６ｂには、光源部１５およびこれと一体の線像結像系４を所定の基準位置に固定するための孔が形成されている。この孔は光学ハウジング側のピンに嵌められるようになっていて、孔を嵌めるピンを選択し、または特定のピンに嵌める孔を選択することにより、前記カバー部材１４がある場合とない場合とに応じて、保持部材１６の光軸方向の位置を変えることができるようになっている。
【００２９】
図３に示す例の場合、カバー部材１４の有無に応じて線像結像光学系４の位置が最適となるように保持部材１６の光偏向器５との距離を設定するため、光源１およびカップリングレンズ２と、光偏向器５との距離もカバー部材１４の有無によって変わり、副走査対応方向の断面における結像位置のずれが補正されることになる。ただ、主走査方向と副走査方向の全体倍率は異なることから、副走査方向の結像位置が補正されても主走査方向の結像位置は補正されない。そこでカップリングレンズ２から出射する光束は、線像結像光学系４の配置位置の影響を受けない、略平行光束とすることが望ましい。略平行な光束とすることにより、主走査方向において走査結像系１７に入射する光束は略平行な光束のままであり、走査結像系１７による結像状態に影響を及ぼすことはない。
カップリングレンズ２からの光束が発散光束や収束光束である場合、自然集光点と被走査媒体９との距離関係が変わってしまうため、走査結像系１７による結像状態に影響を及ぼし、結像状態が劣化し、ビーム径太り等による画像品質が劣化することになる。
【００３０】
光書き込みないしは画像形成の高速化の方法として、光源部を複数の発光光源から構成していわゆるマルチビームとし、光偏向器の高速化と併せることによって機械的出力速度の向上を図る方法が考えられる。
マルチビームと光偏向器の高速化による光書き込みないしは画像形成の高速化と、同じ光学系を用いた低速化との両方に対応するには次のようにする。すなわち、低速度用出力機を構成する場合は、光源を一つとし、光偏向器も風切り音が気にならない程度の速度で回転させ、上記カバー部材１４を省略する。高速度用の出力機を構成する場合は、複数光源によるマルチビームとし、光偏向器を高速回転させ、光偏向器の高速回転による風切り音対応として、透明な上記カバー部材１４を入れる。さらに、複数の発光点を有する半導体レーザアレイを一つのパッケージ内に納めて、これを光源として用いる場合、半導体レーザの保持部品を、発光点が一つの場合と共通化できるという利点をもつ。
【００３１】
一方、コンパクト化と言う観点から、カップリングレンズ２と線像結像光学系４とを一体とし、図３に示す保持部材１６の小型化を図るという方法がある。この場合も、一体となったカップリングレンズ２からの射出光束は上記の説明と同様に略平行な光束であることが望ましい。
【００３２】
次に、光源部１５および保持部材１６のずらし量の具体的な導出方法を、図５を参照しながら説明する。図５において、カバー部材１４を用いた場合、光源部１５からの光束ａは透明なカバー部材１４により△１だけ光軸がずれる。その光束は偏向反射面５ａにて反射され、再び透明なカバー部材１４により光軸が△２だけずれる。これらのずれ△１と△２を合わせたもの、つまり、
△＝△１＋△２
が、光源部の、光軸に直交する方向へのシフト量となる。図中、走査結像系の光軸と平行な方向をｘ軸、直交する方向をｙ軸とする。なお、カバー部材１４からの射出光束ｃはｘ軸と平行な方向とする。
【００３３】
図６は、図５をより詳細に示したものである。図６において、
カバー部材１４のｙ軸に対する角度：φ
偏向反射面５ａへ入射する光束と反射する光束のなす角：θ
カバー部材１４の法線と、入射光束ａのなす角：θ−φ
カバー部材１４による屈折光束と法線のなす角：α
カバー部材１４の屈折率：ｎ
カバー部材１４の通る光束の光路長：Ｓ
カバー部材１４の厚さ：ｔ
としたとき、
0004075978.tif 000002
となる。
【００３４】
同様に、偏向反射面５ａに反射された光束に関して、
カバー部材１４による屈折光束と法線とのなす角度：γ
カバー部材１４の通る光束の光路長：ｕ
としたとき
0004075978.tif 000003
となる。
【００３５】
以上説明した例では、光源部の光軸をシフトすることにより、防音・防塵等の役目を持つ透明なカバー部材の有無に対応させるようになっていたが、別の方法として、図７に示すように、光源部からの光束の射出方向を変えることによっても対応させることができる。図７において、光源部から光偏向器５へ向かう光束を、カバー部材１４がない場合は、カバー部材１４がある場合に対して角度ηだけ傾けている。
【００３６】
実際には、このとき光偏向器５の偏向反射面５ａに入射する光束と反射されて出射する光束とのなす角度θ´は、カバー部材１４がある場合に光偏向器５の偏向反射面５ａに入射する光束と反射されて出射する光束とのなす角度θに対して角度ηだけ狭く、
θ´＝θ−η
の関係になっており、光束をｘ軸と平行なｃ方向に反射させるためには、偏向反射面５ａの法線とｘ軸とのなす角度εが、
ε´＝ε−（η／２）
となっていればよい。
【００３７】
このように、光源部を平行移動しなくても、光源部からの光束の射出方向を変えることによって、防音・防塵等の役目を持つ透明なカバー部材１４の有無に対応させることができる。
また、上記のように、カバー部材１４の有無に応じて光源部からの光束の射出方向を変える場合でも、カバー部材１４によるいわゆる浮き上がりの影響は同じであるため、線像結像光学系４の配置位置、カップリングレンズ２からの射出光束の平行度、その他の各種設計条件は、光源部を平行移動させる場合と同様にすることができる。また、光源部の保持固定基準はこれを複数、すなわち、カバー部材１４がある場合に対応するものと、カバー部材１４がない場合に対応するものとを設ける。
【００３８】
なお、線像結像光学系と光源部とを別体とし、線像結像光学系の光軸方向に関する配置位置をずらすことによって、上記カバー部材の有無に対応させるようにしてもよい。その場合は、カップリングレンズからの射出光束は略平行光束である必要はなく、発散光束でも集束光束であっても差し支えない。その場合、光源部の光軸方向の位置を、カバー部材を配置したことによるいわゆる浮き上がりの影響を補正することができる位置に配置する必要がある。
【００３９】
【発明の効果】
請求項１記載の発明によれば、光源とカップリングレンズとから構成される光源部と、光学ハウジングの少なくとも一方には、光源部を保持し固定するための保持固定基準が設けられており、この保持固定基準は複数であるため、光学系の構成および光学ハウジングの構成を共通化し、光偏向器の周りを覆うカバーの窓孔に透明カバー部材を配置した高速用の場合と、透明カバーを有しない低速用の場合とで、光源部の保持固定基準を使い分ければよく、光走査装置の開発コストの低減、開発時間の短縮化を図ることができる。特に光学ハウジングの共通化により、その金型は一つで足りることになり、この点でのコストの低減効果は大きい。
【００４０】
請求項２記載の発明によれば、光源部と線像結像光学系は同一部材上に配置し、これらを一体として位置を変えることにより、透明カバーを有している場合と有していない場合とでの、副走査方向の結像位置ずれを補正することができる。また、光源部と線像結像光学系が一体であることによって、組み立て、調整作業を簡易化することができる。
【００４１】
請求項３記載の発明によれば、カップリングレンズと線像結像光学系を一体化することによって、部品点数の低減、部品の小型化、省資源化を図ることができる。
請求項４記載の発明によれば、光源部を複数の発光源から構成することにより、より一層の高速化を図ることができる。
請求項５記載の発明によれば、光源部から発せられる光束を略平行光束とすることにより、透明カバー部材の有無による主走査方向の結像位置ずれをなくすことができる。
【図面の簡単な説明】
【図１】本発明を適用可能な光走査装置の光学配置例を示す斜視図である。
【図２】本発明に適用可能な光源部の例を示す斜視図である。
【図３】本発明に適用可能な光源部の別の例を示す斜視図である。
【図４】透明カバー部材がある場合とない場合の副走査対応方向断面における結像位置のずれを示す光路図である。
【図５】透明カバー部材がある場合とない場合とで光源部からの光束のずらし量を求める方法を説明するための光路図である。
【図６】上記ずらし量を求める方法をより詳細に説明するための光路図である。
【図７】透明カバー部材がある場合とない場合とで光源部からの光束の入射角度を変えるようにした例を示す光路図である。
【図８】光偏向器とそのカバーと透明カバー部材を示す平面断面図である。
【符号の説明】
１  光源
２  カップリングレンズ
４  線像結像光学系
５  光偏向器
９  被走査媒体
１３  カバー
１４  透明カバー部材
１５  光源部
１７  走査結像系
【図１】
0004075978.tif 000004
【図２】
0004075978.tif 000005
【図３】
0004075978.tif 000006
【図４】
0004075978.tif 000007
【図５】
0004075978.tif 000008
【図６】
0004075978.tif 000009
【図７】
0004075978.tif 000010
【図８】
0004075978.tif 000011